(57)【要約】  【課題】  柱等の突出コーナーに接して設置するのに適し、かつ、ワンタッチで平板状に折り畳め及び組み立てることができる突出コーナー用段差ポップを提供する。  【解決手段】  段差ポップは、１枚のダンボール等の材料の平面板に切り込み溝と折線を設けて折り立て、接着片で接着することにより組み立てる。図４に示すように、表示板１０２、１０３、２０２、２０３を立体的に交互に左右にずらした形とするため、表示板１０２、１０３、２０２、２０３の幅を、図には現れていない背板の幅より大きくし、かつその差を交互に異なる値とする。このような構造により、展示の効果を高めることができる。また、図では裏面側にあるフラップのスライドにより、折り畳むことも組み立てることもワンタッチでできる。  【選択図】  図４
2006301374.tif 000002
【特許請求の範囲】
【請求項１】
四角形状の平面板を折り曲げることにより組み立てられる突出コーナー用段差ポップであって、
a)該平面板をその上下辺に平行な一以上の区画線で区画し、
b)各区画を、前記区画線に垂直な３本の折線により左端から幅aの第１背板、幅bの第１表示板、幅cの第２表示板、幅dの第２背板に区分し、それらの幅a,b,c及びdが
i)全ての区画においてb>aかつc>dを満たし、
ii)隣接区画において交互に(b-a)>(c-d)又は(b-a)<(c-d)を満たす
ように設定し、
c)隣接区画の境界において前記折線の端点を結んだ線分からなる切り込みを設け、
d)第２背板の端に指挿入用の孔を有するフラップを設け、
e)第１背板の端に前記フラップを挿入するためのスリットを形成するとともに、フラップをスリットに挿入したときの前記孔に対応する位置にスライド用長孔を設けた
ことを特徴とする突出コーナー用段差ポップ。
【請求項２】
上記ii)に代えて、c2=d2+(b-a)2又はb2=a2+(c-d)2を満たすようにしたことを特徴とする請求項１に記載の突出コーナー用段差ポップ。
【発明の詳細な説明】
【技術分野】
【０００１】
本発明は、商品の宣伝や広告等に使用する立体ポップに関する。
【背景技術】
【０００２】
展示会等では、厚紙やボール紙から成る立体ポップを使用し、その表示面に掲示物を貼ったり引っかけたりすることで商品の宣伝や広告等が行われる。このような立体ポップには、表示面に段差を設けることで立体感に富んだ表示をさせ、宣伝効果を高めることができる段差ポップと呼ばれるものがある。
【０００３】
例えば、特許文献１には四角柱（直方体）形の、特許文献２には三角柱形の段差ポップが開示されている。これらの段差ポップは、平面板に折線と切り込みを設け、その折線を折り込み、接着によって、あるいは差込片を切り込みに差込むことによって組み立てられる。この切り込みの上下面の間に段差が生じ、これにより宣伝効果の高い表示をすることができる。
【特許文献１】特開2001-183978号公報
【特許文献２】特開2001-209319号公報
【発明の開示】
【発明が解決しようとする課題】
【０００４】
上記従来のポップは、展示会会場等の広い床面に独立して置いた場合には大きな宣伝効果を発揮するが、展示会会場等の壁面近くに置いた場合、それらの壁面側の面は無駄である一方、それら自体がスペースを取るため、特に狭い会場では有効な宣伝手段とはならないという問題がある。
【０００５】
また、立体ポップが、ワンタッチで平板状に折りたため、また直ちに組立てられる機能を有するならば、組立、解体や運搬の効率が向上する。上記文献の段差ポップは、このようなワンタッチ折り畳み機能を有していない。
【０００６】
本発明が解決しようとする課題は、特に狭い展示会会場等に設置するに適した、しかも、ワンタッチで平板状に折りたたみ、かつ組み立てることが可能な段差ポップを提供することにある。
【課題を解決するための手段】
【０００７】
上記課題を解決するためになされた本発明は、四角形状の平面板を折り曲げることにより組み立てられる突出コーナー用段差ポップであって、
a)該平面板をその上下辺に平行な一以上の区画線で区画し、
b)各区画を、前記区画線に垂直な３本の折線により左端から幅aの第１背板、幅bの第１表示板、幅cの第２表示板、幅dの第２背板に区分し、それらの幅a,b,c及びdが
i)全ての区画においてb>aかつc>dを満たし、
ii)隣接区画において交互に(b-a)>(c-d)又は(b-a)<(c-d)を満たす
ように設定し、
c)隣接区画の境界において前記折線の端点を結んだ線分からなる切り込みを設け、
d)第２背板の端に指挿入用の孔を有するフラップを設け、
e)第１背板の端に前記フラップを挿入するためのスリットを形成するとともに、フラップをスリットに挿入したときの前記孔に対応する位置にスライド用長孔を設けた
ことを特徴とするものである。
【０００８】
本発明に係る突出コーナー用段差ポップは、１枚の平面板の中に上記区画を多数設けてもよいし、１区画毎に１枚の平面板とし、それらを縦に連接するようにしてもよい。もちろん、それらを組み合わせ、複数の区画を有する平面板を複数枚連接するようにしてもよい。
【０００９】
なお、上記スリットは、第１背板の端にスリットの幅だけ離れた２個の突出片を設け、それらを折り返して第１背板の裏面に固定することにより形成することができる。また、上記のように複数の平面板を縦に連接する場合には、この突出片のうちの一方を、連接のための突出片で代用してもよい。
【００１０】
本段差ポップを組み立てるには次のようにする。まず、左右の２本の折線をいずれも山折りすることにより第１背板と第２背板を裏に折り返し、第２背板の端に設けられたフラップを第１背板の端に設けられたスリットに挿入する。これにより、表面に第１表示板及び第２表示板の連接板が、裏面に第１背板と第２背板の連接板が、重ねられた１枚の折り畳み状態の段差ポップができあがる。ここで、上記i)の条件よりb+c>a+dであるため、第１背板の端と第２背板の端の間には隙間が存在し、スリットに挿入されたフラップが両者を連結している。なお、第１背板のスライド用長孔は、この折り畳み状態でフラップの指挿入用の孔がスライド用長孔の端の方に位置するような位置に設けておく。この折り畳み状態では本発明の段差ポップは平面状となるため、保管や運搬の効率が良い。
【００１１】
これを更に使用状態にするには、次のようにする。スライド長孔を通してフラップの孔に指等を挿入し、長孔に沿って滑らせることにより第１背板の端と第２背板の端を近づけ、合致させる。これにより、表側の面では第１表示板と第２表示板の間の折線が山折りとなり、裏側の第１背板＋第２背板の連接板から離れて立体状となる。そして更に、フラップの根元のところで谷折りにし、第１背板と第２背板がほぼ90°を成すように折り曲げると、第１表示板と第２表示板はそれら背板から離れ、鋭角で突出するようになる。しかも上記ii)の関係式により、上下の区画においてその突出の方向が交互に異なる。第１背板と第２背板で構成される凹部を柱等の一つの突出コーナーにあてがって置くことにより、本発明に係るポップは、そのコーナーを華やかに装飾する、立体感の豊富な突出コーナー用段差ポップとなる。第１表示板及び第２表示板の表面に各種ポスター等を貼付したり、更に立体的な物を取り付けることにより、宣伝効果は更に増大する。
【００１２】
このように立体的となっている状態の段差ポップを平面状態に戻すには、９０°に曲がっている両背板を単に広げるだけでよい。これにより、フラップがスリット内を滑って第１背板の端と第２背板の端が離れ、平面状の折り畳み状態となる。更に、複数の平面板を縦に連接した場合には、その連接部分で折り曲げて重ねることにより、更に面積を小さくすることができる。区画線で折り曲げて重ねるようにしてもよい。
【００１３】
上記の平面板には、厚紙、ダンボール紙、スチレン板等、自立できる程度の剛性を有する材料を使用することができる。
【００１４】
さらに、各背板及び表示板の幅a〜dを、図４に示すように、c2=d2+(b-a)2 又はb2=a2+(c-d)2なるピュタゴラスの関係式を満たすようにすれば、第１背面と第２背面を直角させたときに第１背面と第１表示板、又は第２背面と第２表示板が密着するようになる。これにより、その面が柱等の表面と面一となり、趣向のあるコーナー用段差ポップとすることができる。
【発明の効果】
【００１５】
本発明に係る段差ポップは、両背板を柱の突出コーナー部に密着させて設置したとき、両表示板がその柱等から上下の区画毎に方向を違えて突出するため、立体感のあるポップとなる。一方、従来の三角柱や四角柱ポップのようにそれ自体では大きな床面積を占有しないため、狭い展示会場等でもスペースを有効に利用することができる。
【００１６】
そして、本発明に係る段差ポップを立体形状にする場合には、フラップの孔に指等を引っかけ、長孔に沿って滑らせることにより簡単に行うことができる。逆に、平面状とする場合も、単に屈曲しているものを平面状に広げるだけでよい。
【発明を実施するための最良の形態】
【００１７】
本発明に係るコーナー用段差ポップの一実施例を図１〜図３を用いて説明する。本実施例の段差ポップは２枚の平面板１００，２００から構成される。
【００１８】
図１(a)に示すように、一方の平面板１００には、上下辺に平行な１本の切込線１０９がほぼ中央に設けられており、これにより平面板１００は上下２つの区画に区分される。以下、この切込線１０９を適宜区画線とも呼ぶ。各区画内において、この区画線１０９から上下辺に垂直な方向に３本の折線１０７ａ、１０７ｂ、１０７ｃが所定の間隔で設けられている。図１(a)に示すように、上下の区画の折線１０７ａ〜１０７ｃは同一直線上には存在しないようにする。各区画内ではこれらの折線１０７ａ〜１０７ｃによって、左方向から、第１背板１０１、第１・第２表示板１０２、１０３及び第２背板１０４が形成される。第２背板１０４の右端辺からはフラップ１１０が突出し、第１背板１０１の左端辺のフラップ１１０に対応する部分を挟む箇所には２個のスリット形成用接着片１１２が突出している。フラップ１１０には指等を挿入してフラップ１１０を引くための孔１１１が設けられ、第１背板１０１の対応箇所には横長の長孔１０５が設けられる。第１背板１０１の下端辺からは、後述の平面板２００と連接するための連接片１０６が突出している。
【００１９】
他方の平面板２００は、図１(b)に示すように、基本的な構造は上記平面板１００と同様であるが、上側の平面板１００と連接するための連接片２０６は第２背板２０４の上端辺から突出している。また、第１背板２０１には下側のスリット形成用接着片２１２しか設けられていない。これは、両平面板１００、２００を連接片１０６、２０６で連接したとき、第１背板１０１の連接片１０６が下側の平面板２００において上側のスリット形成用接着片の役割を果たすからである。
【００２０】
本実施例の段差ポップは、両背板１０１、１０４、２０１、２０４及び両表示板１０２、１０３、２０２、２０３の幅a1〜d1、a2〜d2が前記ピュタゴラスの関係式c12=d12+(b1-a1)2及びb22=a22+(c2-d2)2を満たしている。
【００２１】
本実施例のコーナー用段差ポップの組み立ては次のようにして行う。まず、両平面板１００、２００を、連接片１０６、２０６で接着することにより固定する（図２において、網掛け部分が固定部分を表す）。また、スリット形成用接着片１１２、２１２を折り返して第１背板１０１、２０１の裏に固定する。次に、両側の折線１０７ａ、１０７ｃ，２０７ａ、２０７ｃを山折りにすることにより第１背板１０１、２０１と第２背板１０４、２０４を両表示板１０２、１０３、２０２、２０３の裏側に折り返し、スリット形成用接着片１１２、２１２及び連接片１０６の箇所で第１背板１０１、２０１とそれに隣接する表示板１０２、２０２を固定する。これにより、上側の第１背板１０１では両接着片１１２の間に、下側の第１背板２０１では連接片１０６と接着片２１２の間に、それぞれ背板１０１、２０１と表示板１０２、２０２に挟まれたスリットが形成される。フラップ１１０、２１０をこのスリットに挿入し、区画線１０９、２０９の下側で第２背板１０４、２０４とそれに隣接する表示板１０３、２０３を固定する。この状態の裏側を図２に示す。この状態にしておくことにより、効率の良い運搬や保管を行うことができる。
【００２２】
図２の折り畳み状態から立体状の使用状態にするには、長孔１０５、２０５を通して孔１１１、２１１に指等を入れ、フラップ１１０、２１０を図２において右側に引く。これにより、第１背板１０１、２０１と第２背板１０４、２０４が接近するが、切込線１０９よりも上では第１背板１０１、２０１とそれに隣接する表示板１０２、２０２が固定されているため、第２背板１０４、２０４とそれに隣接する表示板１０３、２０３が離れ、図３(a)に示すように、第１背板１０１、２０１と第２背板１０４、２０４が直角となるとともに、第２表示板１０３、２０３側が突出する。一方、切込線１０９よりも下では第２背板１０４、２０４とそれに隣接する表示板１０３、２０３が固定されているため、第１背板１０１、２０１とそれに隣接する表示板１０２、２０２が離れ、図３(b)に示すように、第１背板１０１、２０１と第２背板１０４、２０４が直角となるとともに、第１表示板１０２、２０２側が突出する。このように、切込線（区画線）１０９の上下で表面の突出方向が異なるため、立体感のある段差ポップとなる。
【００２３】
図４に示すように、こうして完成した段差ポップを展示会場等の柱３００の突出コーナーに沿って置くことにより、スペースを取ることなく立体感にあふれたポップとすることができる。
【００２４】
なお、図１(b)の平面板２００の下部に接着片を設け、さらに平面板を連接することができる。このように段差ポップを上下方向に多数連接することにより、柱全体を覆うコーナー用段差ポップも作製することができる。
【００２５】
また、本発明に係る段差ポップは必ずしも突出コーナーばかりではなく、平面状の壁面に置いても構わない。その場合、図７に示すように、横に２連、３連、…と連接することも可能である。
【００２６】
本発明に係る突出コーナー用段差ポップは、このように一方の表示板を必ずしも柱３００と面一としなくともよく、図５に示すように、双方の表示板１０２、１０３、２０２、２０３共多少柱から離れるようにしてもよい。この場合でも、表示板１０２、１０３、２０２、２０３の突出方向を隣接段毎に左右に変化させることにより、同様に立体感のある段差ポップとすることができる。
【００２７】
このように表示板１０２、２０２を背板１０１、２０１から離す場合、前記実施例のようにフラップ１１０、２１０を背板１０１、２０１と表示板１０２、２０２の間に挟んで固定することができない。そこで図６に示すように、スリット形成用接着片１１２、２１２の先に更に押さえ板１１３、２１３を設け、それを逆方向に折り返してスリット形成用接着片１１２、２１２に重ねて固定することにより、フラップ１１０、２１０挿入用のスリットを形成する。
【図面の簡単な説明】
【００２８】
【図１】本発明に係る突出コーナー用段差ポップの一実施例の平面展開図。
【図２】実施例の突出コーナー用段差ポップを折り畳んだ状態の裏側の平面図。
【図３】本発明の突出コーナー用段差ポップにおける第１背板（幅a）、第１表示板（幅b）、第２表示板（幅c）及び第２背板（幅d）の関係を示す横断面図。
【図４】実施例の突出コーナー用段差ポップを組み立て、柱の突出コーナーに沿って設置した状態の斜視図。
【図５】本発明の別の実施例である突出コーナー用段差ポップの横断面図。
【図６】上記別の実施例の突出コーナー用段差ポップのスリット部近傍の平面展開図。
【図７】複数本の突出コーナー用段差ポップを横に連接した状態を示す斜視図。
【符号の説明】
【００２９】
１００、２００…平面板
１０１、２０１…第１背板
１０２、２０２…第１表示板
１０３、２０３…第２表示板
１０４、２０４…第２背板
１０５、２０５…スライド用長孔
１０６、２０６…連接片
１０７、２０７…折線
１０９、２０９…区画線（切込線）
１１０、２１０…フラップ
１１１、２１１…孔
１１２、２１２…スリット形成用接着片
１１３、２１３…押さえ板
３００…柱
【図１】
2006301374.tif 000003
【図２】
2006301374.tif 000004
【図３】
2006301374.tif 000005
【図４】
2006301374.tif 000006
【図５】
2006301374.tif 000007
【図６】
2006301374.tif 000008
【図７】
2006301374.tif 000009